(57)【特許請求の範囲】
【請求項１】
野地板上に配置される波板と、
この波板の軒先側から突出し、かつ、下面側にその上側端部を重ねて配置され、上記波板から滴下する雨水を上記野地板の軒先側に案内する水切り部材と、
上記波板の軒先側先端の下面と上記水切り部材上面との間に設けられた止水部材とを具備し、
上記水切り部材は、上記止水部材と上記野地板の先端部分との間の位置に、空気流通孔が設けられていることを特徴とする軒先構造。
【請求項２】
野地板上に配置される波板と、
この波板の軒先側で、かつ、下面側にその上側端部を重ねて配置され、上記波板から滴下する雨水を上記野地板の軒先側に案内する水切り部材と、
上記波板の軒先側先端の下面と上記水切り部材上面との間に設けられた止水部材とを具備し、
上記水切り部材は、上記止水部材と上記野地板の先端部分との間の位置に、空気流通孔が設けられ、
上記水切り部材と上記野地板との間には、上記水切り部材を支持するとともに、上記水切り部材の位置決めを行う支持部材が水平方向に沿って間欠的に配置されていることを特徴とする軒先構造。
【請求項３】
野地板上に配置される波板と、
この波板の軒先側で、かつ、下面側にその上側端部を重ねて配置され、上記波板から滴下する雨水を上記野地板の軒先側に案内する水切り部材と、
上記波板の軒先側先端の下面と上記水切り部材上面との間に設けられた止水部材とを具備し、
上記水切り部材は、上記止水部材と上記野地板の先端部分との間の位置に、空気流通孔が設けられ、
上記水切り部材は、上記波板の波下部の延長線上に設けられた緩衝板部が設けられていることを特徴とする軒先構造。
【請求項４】
上記波板と上記野地板との間には防水シートが配置され、
上記防水シートの下端部は、上記波板と上記水切り部材との間に配置されていることを特徴とする請求項１〜３のいずれか１項に記載の軒先構造。
【発明の詳細な説明】
【技術分野】
【０００１】
本発明は、山型屋根材（波板、折半等）と水切り部材を用いた軒先構造に関し、特に雨水を軒樋に案内できるとともに軒先から棟へ空気が流れる通気性を有するものに関する。
【背景技術】
【０００２】
家屋の野地板上に設置する屋根材や屋根下葺防水材として波板（山型屋根材）を用いた家屋の屋根構造が提案されている（例えば、特許文献１参照。）。このような波板は低コストであるとともに、防水性及び耐久性を兼ね備えている。
【０００３】
また、野地板に雨水が滴下することを防ぐため、水切り部材が設置され、この水切り部材で受けた雨水を軒先から排出する軒先構造が知られている（例えば、特許文献２参照。）。
【先行技術文献】
【特許文献】
【０００４】
【特許文献１】特開２００９−０９１７８７号公報
【特許文献２】特開２００９−２５７０１９号公報
【発明の概要】
【発明が解決しようとする課題】
【０００５】
上述した軒先構造では、次のような問題があった。すなわち、水切り部材は、軒先の全体にわたって形成されるため、波板下面と水切り部材との間が閉塞される。また、波板の下側端にシール部材や面戸を設けないと、波板と野地板との間から雨水が浸入する虞がある。したがって、軒先側からの風が入らず、波板と野地板の間の換気が不十分となった。
【０００６】
そこで本発明は、十分な防水性を備えるために、波板の下側端にシール部材・面戸を設けて閉塞した場合であっても、通気を十分にとることができる軒先構造を提供することを目的としている。
【課題を解決するための手段】
【０００７】
前記課題を解決し目的を達成するために、本発明の軒先構造は次のように構成されている。
【０００８】
野地板上に配置される波板と、この波板の軒先側から突出し、かつ、下面側にその上側端部を重ねて配置され、上記波板から滴下する雨水を上記野地板の軒先側に案内する水切り部材と、上記波板の軒先側先端の下面と上記水切り部材上面との間に設けられた止水部材とを具備し、上記水切り部材は、上記止水部材と上記野地板の先端部分との間の位置に、空気流通孔が設けられていることを特徴とする。
野地板上に配置される波板と、この波板の軒先側で、かつ、下面側にその上側端部を重ねて配置され、上記波板から滴下する雨水を上記野地板の軒先側に案内する水切り部材と、上記波板の軒先側先端の下面と上記水切り部材上面との間に設けられた止水部材とを具備し、上記水切り部材は、上記止水部材と上記野地板の先端部分との間の位置に、空気流通孔が設けられ、上記水切り部材と上記野地板との間には、上記水切り部材を支持するとともに、上記水切り部材の位置決めを行う支持部材が水平方向に沿って間欠的に配置されていることを特徴とする。
野地板上に配置される波板と、この波板の軒先側で、かつ、下面側にその上側端部を重ねて配置され、上記波板から滴下する雨水を上記野地板の軒先側に案内する水切り部材と、上記波板の軒先側先端の下面と上記水切り部材上面との間に設けられた止水部材とを具備し、上記水切り部材は、上記止水部材と上記野地板の先端部分との間の位置に、空気流通孔が設けられ、上記水切り部材は、上記波板の波下部の延長線上に設けられた緩衝板部が設けられていることを特徴とする。
【発明の効果】
【０００９】
本発明によれば、十分な防水性を備えるために、波板の下側端にシール部材・面戸を設けて閉塞した場合であっても、通気を十分にとることが可能となる。
【図面の簡単な説明】
【００１０】
【図１】本発明の第１の実施の形態に係る軒先構造を示す断面図。
【図２Ａ】同軒先構造に組み込まれた波板を示す正面図。
【図２Ｂ】同軒先構造に組み込まれた折半を示す正面図。
【図３】同軒先構造に組み込まれた水切り部材を示す斜視図。
【図４】同軒先構造の要部を一部切欠して示す平面図。
【図５】同軒先構造の要部の裏面を示す平面図。
【図６】本発明の第２の実施の形態に係る軒先構造を示す断面図。
【発明を実施するための形態】
【００１１】
図１は本発明の第１の実施の形態に係る軒先構造１０を示す断面図、図２Ａは軒先構造１０に組み込まれた波板１３を示す正面図、図２Ｂは軒先構造１０に組み込まれた折半１５を示す正面図、図３は同軒先構造１０に組み込まれた水切り部材を示す斜視図、図４は同軒先構造の要部を一部切欠して示す平面図、図５は同軒先構造１０の要部の裏面を示す平面図である。なお、軒先構造１０は、家屋の屋根構造の一部を構成している。なお、図１中１００は樋を示している。
【００１２】
軒先構造１０は、垂木１１と、この垂木１１に下面が支持された野地板１２と、この野地板１２の上に配置された波板（山型屋根材）１３と、波板１３の軒先側で、かつ、下面側にその上側端部を重ねて配置され、波板１３から滴下する雨水を野地板１２の軒先側に案内する水切り部材２０と、波板１３の軒先側先端の下面と水切り部材２０の後述する本体部２１との間に設けられたスポンジ材製のシール部材（止水部材）３０と、水切り部材２０と野地板１２との間に設けられ、水切り部材２０を支持する支持部材４０とを備えている。なお、シール部材３０の他、蓋状の面戸（止水部材）を取り付けてもよい。
【００１３】
なお、波板１３と野地板１２との間には防水シート５０が配置され、防水シート５０の下端部５１は、波板１３と水切り部材２０との間に位置している。
【００１４】
波板１３は、主に金属材製であり、図２Ａに示すように、波上部１３ａと波下部１３ｂとが交互に、かつ、一定の間隔で形成されている。また、波上部１３ａと波下部１３ｂとが並ぶ波方向は、垂木１１の延びる方向と直交して配置されている。なお、固定釘１４は、波上部１３ａを貫通して打ち込まれている。
【００１５】
なお、波板１５の代わりに図２Ｂに示すような折半（山型屋根材）を用いても良い。折半１５は、波上部１５ａと波下部１５ｂとが交互に、かつ、一定の間隔で形成されている。
【００１６】
水切り部材２０は、金属製の板材を折曲して形成され、野地板１２に沿って配置される本体部２１と、この本体部２１の下側端側に形成され、波下部１３ｂに連なる緩衝板部２２と、この緩衝板部２２の下方に折り返して形成されるとともに、支持部材４０の下端４１に係合する係合部２３とを備えている。緩衝板部２２は、基端部２２ａより先端２２ｂが緩やかになるように屈曲されているため、雨水の流速を減じさせる機能を有している。
【００１７】
水切り部材２０の本体部２１において、シール部材３０と野地板１２の先端部分との間の位置に、スリット状の空気流通孔２５が設けられている。
【００１８】
支持部材４０は、野地板１２の下端部に水平方向に沿って間欠的に配置されている。また、支持部材４０の下端４１は水切り部材２０の係合部２３と係合することで水切り部材２０の位置決めを行い、雨水が樋１００内に滴下するように調整する機能を有している。なお、水切り部材２０に十分な強度を持たせることで、支持部材４０を省略してもよい。
【００１９】
このように構成された軒先構造１０では、次のようにして雨水の排水、及び、通気を行う。すなわち、降雨があると、波板１３上に滴下した雨水は波下部１３ｂに集められ、軒先側に案内される。そして、波板１３から飛び出た雨水はそのまま緩衝板部２２に当たり、減速し、そのまま樋１００の中に滴下する。したがって、野地板１２上に雨水が滴下することは無い。
【００２０】
一方、風Ｆは水切り部材２０の空気流通孔２５を通って、波板１３と水切り部材２０との間に入り込む。さらに、波板１３と野地板１２との間に入り、上部へ抜けていく。このため、通気を確保することができる。このため、野地板１２の湿気を野地板１２と波板１３との空間から棟へ排湿できる、野地板１２での結露を防止でき、野地板１２の耐久性を向上させることができる。
【００２１】
なお、空気流通孔２５から雨水が入り込むには下から上へ強く吹き上げる条件が必要であり、空気流通孔２５から野地板１２側へ雨水が浸入することは防止できる。
【００２２】
したがって、十分な防水性を備えるために、波板１３の下側端にシール部材３０・面戸を設けて閉塞した場合であっても、通気を十分にとることが可能となる。
【００２３】
上述したように、本実施の形態に係る軒先構造１０によれば、合成樹脂製の波板１３を用いることで十分な耐久性を有しつつ、防水性を維持し、また野地板１２と波板１３との間の換気を行うことが可能となる。
【００２４】
図６は、本発明の第２の実施の形態に係る軒先構造１０Ａを示す断面図である。なお、図６において図１と同一機能部分には同一符号を付し、その詳細な説明は省略する。
【００２５】
本実施の形態においては、上述した水切り部材２０の代わりに水切り部材２０Ａが用いられている。水切り部材２０Ａは、緩衝板部２２Ａが設けられている。緩衝板部２２Ａは、波板１３の下端に配置され、波下部１３ｂを流れ落ちた雨水を広い面積の面上に拡げることによって速度を低下させる機能を有している。雨水は速度が低下することで、樋１００内に落下することとなる。
【００２６】
このように構成された軒先構造１０Ａにおいても、軒先構造１０と同様の効果を得ることができる。
【００２７】
なお、本発明は前記実施の形態に限定されるものではなく、本発明の要旨を逸脱しない範囲で種々変形実施可能であるのは勿論である。以下に、本願出願の当初の特許請求の範囲に記載された発明を付記する。
［１］野地板上に配置される波板と、
この波板の軒先側で、かつ、下面側にその上側端部を重ねて配置され、上記波板から滴下する雨水を上記野地板の軒先側に案内する水切り部材と、
上記波板の軒先側先端の下面と上記水切り部材上面との間に設けられた止水部材とを具備し、
上記水切り部材は、上記止水部材と上記野地板の先端部分との間の位置に、空気流通孔が設けられていることを特徴とする軒先構造。
［２］上記水切り部材と上記野地板との間には、上記水切り部材を支持するとともに、上記水切り部材の位置決めを行う支持部材が水平方向に沿って間欠的に配置されていることを特徴とする［１］に記載の軒先構造。
［３］上記水切り部材は、上記波板の波下部の延長線上に設けられた緩衝板部が設けられていることを特徴とする［１］に記載の軒先構造。
［４］上記波板と上記野地板との間には防水シートが配置され、
上記防水シートの下端部は、上記波板と上記水切り部材との間に配置されていることを特徴とする［１］に記載の軒先構造。
【産業上の利用可能性】
【００２８】
波板の下側端にシール部材を設けて閉塞した場合であっても、十分な防水性を備えるとともに、換気を十分にとることができる軒先構造が得られる。
【符号の説明】
【００２９】
１０，１０Ａ…軒先構造、１２…野地板、１３…波板（山型屋根材）、１３ｂ…波下部、１５…折半（山型屋根材）、２０，２０Ａ…水切り部材、２２…緩衝板部、２５…空気流通孔、３０…シール部材（止水部材）、４０…支持部材、５０…防水シート、１００…樋。
【図１】
0005888581.tif 000002
【図２Ａ】
0005888581.tif 000003
【図２Ｂ】
0005888581.tif 000004
【図３】
0005888581.tif 000005
【図４】
0005888581.tif 000006
【図５】
0005888581.tif 000007
【図６】
0005888581.tif 000008